(57)【要約】【課題】インサービスで光ファイバの波長分散を測定する。【解決手段】光送信装置１０は、周波数変調された互いに異なる波長の光キャリアでデータＤ１〜Ｄｎを搬送し且つ位相変調されたｎ個の信号光を多重して、光ファイバ１２に出力する。分離装置３０は、光ファイバ１２からの入力光を個々の波長の光信号に分離する。各受光器３２−１〜ｎは、各波長の光信号を電気信号に変換する。各クロック抽出装置３４−１〜ｎは、対応する受光器３２−１〜ｎの出力からデータＤ１〜Ｄｎのクロック成分を抽出する。各データ再生装置３６−１〜ｎは、受光器３２−１〜ｎの出力からデータＤ１〜Ｄｎを再生する。発振器３８−１〜ｎ、乗算器４０−１〜ｎ及びループフィルタ４２−１〜ｎからなる位相ロックループ（ＰＬＬ）回路は、回路３４−１〜ｎの出力からＦＭ変調成分を抽出する。ＦＭ成分測定装置４４−１〜ｎはＦＭ変調成分の振幅とＦＭ変調周波数を測定し、演算装置４６−１〜ｎは各波長における波長分散値を算出する。【選択図】　図１
2004045058.tif 000002
【特許請求の範囲】
【請求項１】
光伝送路（１２）と、
互いに異なる波長の複数の信号光からなるＷＤＭ信号光を当該光伝送路に出力する光送信装置（１０）であって、互いに異なる波長の、周波数変調されたレーザ光を出力する複数のレーザ光源（２０−１〜２０−ｎ）と、当該複数のレーザ光源の各出力光を送信データ（Ｄ１〜Ｄｎ）によりデータ変調する複数のデータ変調器（２４−１〜２４−ｎ）と、当該複数のデータ変調器の各出力光を位相変調する複数の位相変調器（２６−１〜２６−ｎ）と、当該複数の位相変調器の出力光を多重する多重装置（２８）とを具備する光送信装置と、
当該光伝送路を伝搬した当該ＷＤＭ信号光を受信する光受信装置（１４）であって、当該ＷＤＭ信号光を個々の波長の信号光に分離する分離装置（３０）と、当該分離装置（３０）により分離された個々の波長の信号光を電気信号に変換する複数の受光器（３２−１〜３２−ｎ）と、当該複数の受光器の各出力からクロック成分を抽出する複数のクロック抽出装置（３４−１〜３４−ｎ）と、当該複数のクロック抽出装置の内の対応するクロック抽出装置の出力に従い、当該複数の受光器の内の対応する受光器の出力から送信データを再生する複数のデータ再生装置（３６−１〜３６−ｎ）と、当該複数のクロック抽出装置（３４−１〜３４−ｎ）の各出力からＦＭ変調周波数成分を抽出する複数のＦＭ変調成分抽出装置（３８−１〜３８−ｎ，４０−１〜４０−ｎ，４２−１，４２−ｎ）と、当該複数のＦＭ変調成分抽出装置の各出力からＦＭ変調成分の振幅を測定するＦＭ成分測定装置（４４−１〜４４−ｎ）と、当該複数のＦＭ成分測定装置（４４−１〜４４−ｎ）の各出力から複数の波長における波長分散値を算出する波長分散算出装置（４６−１〜４６−ｎ）とを具備する光受信装置
とからなることを特徴とするＷＤＭ光伝送システム。
【請求項２】
当該複数のレーザ光源のそれぞれに対する周波数変調周波数が互いに異なる請求項１に記載のＷＤＭ光伝送システム。
【請求項３】
互いに異なる波長の複数のレーザ光源から周波数変調されたレーザ光を出力させるステップと、
当該レーザ光をそれぞれ送信データ（Ｄ１〜Ｄｎ）によりデータ変調するステップと、
データ変調されたレーザ光を位相変調するステップと、
位相変調されたレーザ光を多重して光伝送路に出力するステップと、
当該光伝送路を伝搬した光を個々の波長の信号光に分離するステップと、
分離された個々の波長の信号光を電気信号に変換するステップと、
各電気信号からクロック成分を抽出するステップと、
各電気信号から、対応するクロック成分に従い送信データを再生するステップと、
各クロック成分から、対応する波長の周波数変調によるＦＭ変調成分を抽出するステップと、
抽出されたＦＭ変調成分の振幅から波長分散値を算出するステップ
とを具備することを特徴とする波長分散測定方法。
【請求項４】
当該複数のレーザ光源のそれぞれに対する周波数変調周波数が互いに異なる請求項３に記載の波長分散測定方法。
【請求項５】
互いに異なる波長の複数の信号光からなるＷＤＭ信号光を当該光伝送路に出力する光送信装置（１０）であって、
互いに異なる波長の、周波数変調されたレーザ光を出力する複数のレーザ光源（２０−１〜２０−ｎ）と、
当該複数のレーザ光源の各出力光を送信データ（Ｄ１〜Ｄｎ）によりデータ変調する複数のデータ変調器（２４−１〜２４−ｎ）と、
当該複数のデータ変調器の各出力光を位相変調する複数の位相変調器（２６−１〜２６−ｎ）と、
当該複数の位相変調器の出力光を多重する多重装置（２８）
とを具備することを特徴とする光送信装置。
【請求項６】
当該複数のレーザ光源のそれぞれに対する周波数変調周波数が互いに異なる請求項５に記載の光送信装置。
【請求項７】
周波数変調された互いに異なる波長（λ１〜λｎ）の光キャリアでデータＤ１〜Ｄｎを搬送する複数の信号光からなるＷＤＭ信号光を受信する光受信装置であって、
光伝送路から入力する当該ＷＤＭ信号光を個々の波長（λ１〜λｎ）の信号光に分離する分離装置（３０）と、
当該分離装置（３０）により分離された個々の波長（λ１〜λｎ）の信号光を電気信号に変換する複数の受光器（３２−１〜３２−ｎ）と、
当該複数の受光器の各出力からクロック成分を抽出する複数のクロック抽出装置（３４−１〜３４−ｎ）と、
当該複数のクロック抽出装置の内の対応するクロック抽出装置の出力に従い、当該複数の受光器の内の対応する受光器の出力から送信データを再生する複数のデータ再生装置（３６−１〜３６−ｎ）と、
当該複数のクロック抽出装置（３４−１〜３４−ｎ）の各出力からＦＭ変調周波数成分を抽出する複数のＦＭ変調成分抽出装置（３８−１〜３８−ｎ，４０−１〜４０−ｎ，４２−１，４２−ｎ）と、
当該複数のＦＭ変調成分抽出装置の各出力からＦＭ変調成分の振幅を測定するＦＭ成分測定装置（４４−１〜４４−ｎ）と、
当該複数のＦＭ成分測定装置（４４−１〜４４−ｎ）の各出力から複数の波長における波長分散値を算出する波長分散算出装置（４６−１〜４６−ｎ）
とを具備することを特徴とする光受信装置。
【請求項８】
当該複数のＦＭ変調成分抽出装置（３８−１〜３８−ｎ，４０−１〜４０−ｎ，４２−１，４２−ｎ）の抽出周波数が互いに異なる請求項７に記載の光受信装置。
【発明の詳細な説明】
【０００１】
【発明の属する技術分野】
本発明は、ＷＤＭ光伝送システム、波長分散測定方法、光送信装置及び光受信装置に関し、より具体的には、インサービスで波長分散を測定可能なＷＤＭ光伝送システム、波長分散測定方法、光送信装置及び光受信装置に関する。
【０００２】
【従来の技術】
長距離の光ファイバ伝送システム、特にＧｂｐｓクラス以上の高速の光ファイバ伝送システムでは、光ファイバ伝送路の波長分散が伝送特性を左右する重要なパラメータになる。
【０００３】
波長分散は、従来、信号光の伝搬遅延時間から測定されている。しかし、この方法では、光ファイバ伝送路の測定信号光の出力点から測定信号光の入力点に測定結果を伝送する信号伝送系を別途、用意する必要があり、測定システムの構成が複雑で大きなものになりがちである。
【０００４】
これに対し、光ファバ伝送路の入力点と出力点との間の信号伝送系を必要としない波長分散測定方法が、提案されている（Ｙｕｉｃｈｉ　Ｔａｋｕｓｈｉｍａ，　Ｋａｚｕｒｏ　Ｋｉｋｕｃｈｉ，”Ａ　ＮＯＶＥＬ　ＭＥＴＨＯＤ　ＦＯＲＯＰＴＩＣＡＬ　ＦＩＢＲＥ　ＤＩＳＰＥＲＳＩＯＮ　ＭＥＡＳＵＲＥＭＥＮＴ　ＡＮＤ　ＩＴＳ　ＡＰＰＬＩＣＡＴＩＯＮ　ＴＯ　ＩＮ−ＳＥＲＶＩＣＥ　ＭＯＮＩＴＯＲ”，　Ｐｒｏｃ．　２７ｔｈ　Ｅｕｒ．　Ｃｏｎｆ．　ｏｎ　Ｏｐｔ．　Ｃｏｍｍ．　（ＥＣＯＣ’０１−Ａｍｓｔｅｒｄａｍ），Ｗｅ．Ｌ．１．５，　ｐｐ．２７６−２７７）。この論文は、参考のため、本明細書に組み込まれる。
【０００５】
この論文に記載される方法を簡単に説明する。送信側において、レーザ光源のレーザ発振波長λｐを周波数ｆＬで周波数変調すると共に、その出力レーザ光を別の周波数Ｂで強度変調して、光ファイバ伝送路に入力する。受信側では、光伝送路を伝搬したプローブ光を光電変換し、その電気出力から強度変調波を抽出し、抽出された強度変調波の振幅ｖ（ｆＬ）を測定する。得られた振幅ｖ（ｆＬ）が、プローブ波長λｐにおける群速度分散を示す。
【０００６】
【発明が解決しようとする課題】
上述の論文に記載される方法では、特定の波長における波長分散を測定できるのだけである。また、この論文には、信号伝送中に波長分散を測定する方法が記載されていない。
【０００７】
ＷＤＭ（波長分割多重）システム又はＤＷＤＭ（高密度波長分割多重）システムでは、大量のデータが伝送されるので、インサービスで波長分散を測定できることが望まれる。
【０００８】
本発明は、インサービスで波長分散を測定可能なＷＤＭ光伝送システム、波長分散測定方法、光送信装置及び光受信装置を提示することを目的とする。
【０００９】
【課題を解決するための手段】
本発明に係るＷＤＭ光伝送システムは、光伝送路と、互いに異なる波長の複数の信号光からなるＷＤＭ信号光を当該光伝送路に出力する光送信装置と、当該光伝送路を伝搬した当該ＷＤＭ信号光を受信する光受信装置とからなる。光送信装置は、互いに異なる波長の、周波数変調されたレーザ光を出力する複数のレーザ光源と、当該複数のレーザ光源の各出力光を送信データ（Ｄ１〜Ｄｎ）によりデータ変調する複数のデータ変調器と、当該複数のデータ変調器の各出力光を位相変調する複数の位相変調器と、当該複数の位相変調器の出力光を多重する多重装置とを具備する。光受信装置は、当該ＷＤＭ信号光を個々の波長の信号光に分離する分離装置と、当該分離装置により分離された個々の波長の信号光を電気信号に変換する複数の受光器と、当該複数の受光器の各出力からクロック成分を抽出する複数のクロック抽出装置と、当該複数のクロック抽出装置の内の対応するクロック抽出装置の出力に従い、当該複数の受光器の内の対応する受光器の出力から送信データを再生する複数のデータ再生装置と、当該複数のクロック抽出装置の各出力からＦＭ変調周波数成分を抽出する複数のＦＭ変調成分抽出装置と、当該複数のＦＭ変調成分抽出装置の各出力からＦＭ変調成分の振幅を測定するＦＭ成分測定装置と、当該複数のＦＭ成分測定装置の各出力から複数の波長における波長分散値を算出する波長分散算出装置とを具備する。
【００１０】
本発明に係る波長分散測定方法は、互いに異なる波長の複数のレーザ光源から周波数変調されたレーザ光を出力させるステップと、当該レーザ光をそれぞれ送信データ（Ｄ１〜Ｄｎ）によりデータ変調するステップと、データ変調されたレーザ光を位相変調するステップと、位相変調されたレーザ光を多重して光伝送路に出力するステップと、当該光伝送路を伝搬した光を個々の波長の信号光に分離するステップと、分離された個々の波長の信号光を電気信号に変換するステップと、各電気信号からクロック成分を抽出するステップと、各電気信号から、対応するクロック成分に従い送信データを再生するステップと、各クロック成分から、対応する波長の周波数変調によるＦＭ変調成分を抽出するステップと、抽出されたＦＭ変調成分の振幅から波長分散値を算出するステップとを具備することを特徴とする。
【００１１】
本発明に係る光送信装置は、互いに異なる波長の複数の信号光からなるＷＤＭ信号光を当該光伝送路に出力する光送信装置であって、互いに異なる波長の、周波数変調されたレーザ光を出力する複数のレーザ光源と、当該複数のレーザ光源の各出力光を送信データ（Ｄ１〜Ｄｎ）によりデータ変調する複数のデータ変調器と、当該複数のデータ変調器の各出力光を位相変調する複数の位相変調器と、当該複数の位相変調器の出力光を多重する多重装置とを具備することを特徴とする。
【００１２】
本発明に係る光受信装置は、周波数変調された互いに異なる波長（λ１〜λｎ）の光キャリアでデータＤ１〜Ｄｎを搬送する複数の信号光からなるＷＤＭ信号光を受信する光受信装置であって、光伝送路から入力する当該ＷＤＭ信号光を個々の波長（λ１〜λｎ）の信号光に分離する分離装置と、当該分離装置により分離された個々の波長（λ１〜λｎ）の信号光を電気信号に変換する複数の受光器と、当該複数の受光器の各出力からクロック成分を抽出する複数のクロック抽出装置と、当該複数のクロック抽出装置の内の対応するクロック抽出装置の出力に従い、当該複数の受光器の内の対応する受光器の出力から送信データを再生する複数のデータ再生装置と、当該複数のクロック抽出装置の各出力からＦＭ変調周波数成分を抽出する複数のＦＭ変調成分抽出装置と、当該複数のＦＭ変調成分抽出装置の各出力からＦＭ変調成分の振幅を測定するＦＭ成分測定装置と、当該複数のＦＭ成分測定装置の各出力から複数の波長における波長分散値を算出する波長分散算出装置とを具備することを特徴とする。
【００１３】
【実施例】
以下、図面を参照して、本発明の実施例を詳細に説明する。
【００１４】
図１は、本発明の一実施例の概略構成ブロック図を示す。光送信装置１０が光ファイバ１２を介して光受信装置１４に接続する。光ファイバ１２上には実際には、累積波長分散を補償する分散補償ファイバ、と光信号を中継増幅する光中継増幅器が、それぞれ適当な間隔で配置されている。
【００１５】
光送信装置１０は、それぞれ異なる波長λ１〜λｎのレーザ光源２０−１〜２０−ｎを具備する。発振器２２−１〜２２−ｎは、周波数ｆ１〜ｆｎで発振しており、その正弦波出力により、対応するレーザ光源２０−１〜２０−ｎの発振波長が周波数変調されている。例えば、レーザ光源２０−１の発振波長λ１は、発振器２２−１から出力される周波数ｆ１の正弦波信号により周波数変調されている。発振器２２−１〜２２−ｎの発振周波数ｆ１〜ｆｎのいくつか又は全部は、同じ値でもよいが、好ましくは互いに異なる値である。
【００１６】
データ変調器２４−１〜２４−ｎは、対応するレーザ光源２０−１〜２０−ｎの出力光をそれぞれデータＤ１〜Ｄｎによりディジタル変調、例えば、２値強度変調する。位相変調器２６−１〜２６−ｎは、対応するデータ変調器２４−１〜２４−ｎの出力光の光位相を、光ファイバ１２上の波長分散量に見合った変調度で変調する。多重装置２８は、各位相変調器２６−１〜２６−ｎの出力光を多重して光ファイバ１２に出力する。このようにして、データＤ１〜Ｄｎを搬送する波長λ１〜λｎの信号光からなるＷＤＭ信号光が、光ファイバ１２に出力される。既存の光送信装置と異なるのは、各波長λ１〜λｎの光キャリアが、ＦＭ変調周波数ｆ１〜ｆｎで周波数変調されていることである。
【００１７】
光受信装置１４の構成と動作を説明する。分離装置３０は、光ファイバ１２から入力するＷＤＭ光信号を波長λ１〜λｎの光信号に分離する。分離された各波長λ１〜λｎの光信号は、受光器３２−１〜３２−ｎに入射し、各受光器３２−１〜３２−ｎは、入射光を電気信号に変換する。各クロック抽出装置３４−１〜３４−ｎは、対応する受光器３２−１〜３２−ｎの出力からデータＤ１〜Ｄｎのクロック成分を抽出する。各データ再生装置３６−１〜３６−ｎは、クロック抽出装置３４−１〜３４−ｎにより抽出されたクロックに従い、受光器３２−１〜３２−ｎの出力からデータＤ１〜Ｄｎを再生する。
【００１８】
クロック抽出装置３４−１〜３４−ｎの出力クロックは、対応するレーザ光源２０−１〜２０−ｎの周波数変調によるＦＭ変調成分を具備する。本実施例では、このＦＭ変調成分から上述の論文に記載される式（２）に従い波長分散を算出する。
【００１９】
発振器３８−１〜３８−ｎ，乗算器４０−１〜４０−ｎ及びループフィルタ４２−１〜４２−ｎは、クロック抽出装置３４−１〜３４−ｎの出力から、ループフィルタ４２−１〜４２−ｎで設定された周波数ｆ１〜ｆｎのＦＭ変調成分を抽出する位相ロックループ（ＰＬＬ）回路を構成する。発振器３８−１〜３８−ｎは、周知の電圧制御発振器を内蔵する。ＦＭ成分測定装置４４−１〜４４−ｎは、対応するループフィルタ４２−１〜４２−ｎの出力から周波数ｆ１〜ｆｎのＦＭ変調成分の振幅ｖ（ｆ１）〜ｖ（ｆｎ）とＦＭ変調周波数ｆ１〜ｆｎを測定する。演算装置４６−１〜４６−ｎは、ＦＭ成分測定装置４４−１〜４４−ｎの出力に上記論文の式（２）に適用して、波長λ１〜λｎにおける波長分散σ（λ１）〜σ（λｎ）を算出する。
【００２０】
例えば、クロック抽出装置３４−１が出力するクロックは、発振器２２−１の発振周波数ｆ１による周波数変調成分を具備する。乗算器４０−１は、クロック抽出装置３４−１の出力クロックに電圧制御発振器３８−１の出力を乗算する。乗算器４０−１は、クロック抽出装置３４−１の出力クロックの周波数と電圧制御発振器３８−１の出力の周波数の差周波数に相当する周波数の正弦波信号を出力する。ループフィルタ４２−１は、乗算器４０−１の出力から周波数ｆ１の成分を抽出する。ループフィルタ４２−１の出力は、誤差信号として電圧制御発振器３８−１に印加される。電圧制御発振器３８−１の出力周波数は、ループフィルタ４２−１の出力が最大になるように制御される。このループにより、ループフィルタ４２の出力は、周波数ｆ１のＦＭ変調成分を代表する。
【００２１】
ＦＭ成分測定装置４４−１は、ループフィルタ４２−１の出力から周波数ｆ１のＦＭ変調成分の振幅ｖ（ｆ１）と周波数ｆ１を測定する。演算装置４６−１は、ＦＭ成分測定装置４４−１からの振幅ｖ（ｆ１）と周波数ｆ１を上記論文の式（２）に適用して、波長λ１における波長分散σ（λ１）を算出する。ｆ１は波長λ１に対応して既知であるので、原理的には、ＦＭ成分測定装置４４−１は、ＦＭ変調成分の周波数ｆ１を測定する必要が無い。しかし、送信側で周波数ｆ１を変更する可能性がある。ＦＭ成分測定装置４４−１がＦＭ変調成分の振幅ｖ（ｆ１）と周波数ｆ１を測定するようにしておけば、受信装置１４は、送信装置１０での周波数ｆ１の変更に自動的に対応できる。
【００２２】
電圧制御発振器３８−２〜３８−ｎ、乗算器４０−２〜４０−ｎ、ループフィルタ４２−２〜４２−ｎ、ＦＭ成分測定装置４４−２〜４４−ｎ及び演算装置４６−２〜４６−ｎの作用は、ループフィルタ４２−２〜４２−ｎの中心周波数がそれぞれｆ２〜ｆｎであることを除いて、上述した、電圧制御発振器３８−１、乗算器４０−１、ループフィルタ４２−１、ＦＭ成分測定装置４４−１及び演算装置４６−１の各作用と同じである。
【００２３】
このようにして、データＤ１〜Ｄｎを伝送している状態で、即ち、インサービスで、演算装置４６−１〜４６−ｎは、波長分散σ（λ１）〜σ（λｎ）を出力する。即ち、信号波長λ１〜λｎでサンプリングした、光ファイバ１２の波長分散値を得ることができる。
【００２４】
ＦＭ変調周波数ｆ１〜ｆｎは、データＤ１〜Ｄｎのビットレートに比べて十分に低い周波数であればよい。例えば、ギガビット級のデータ伝送では、ＦＭ変調周波数ｆ１〜ｆｎは、数十Ｈｚ〜数十ＭＨｚ程度でよい。この程度の周波数域であれば、ループフィルタ４２−１〜４２−ｎのＱ値として数百〜数千といった値を容易に達成できる。この場合、ＦＭ変調周波数ｆ１〜ｆｎの周波数間隔を、その中の最高周波数の１／１０〜１／１００程度に設定できる。例えば、最高周波数が１０ｋＨｚであれば、１００Ｈｚ〜１ｋＨｚ間隔で周波数を割り当てることができる。
【００２５】
多重装置２８又は分離装置３０では、隣接する波長間のクロストークが問題になる。特に、位相変調器２６−１〜２６−ｎの位相変調により光スペクトルが拡がり、一部が隣接波長のスペクトルに漏れ込みやすくなる。従って、ｆ１〜ｆｎを互いに異なる周波数にする場合、隣接する波長で使用するＦＭ変調周波数には、できるだけ大きな周波数差を設け、近い周波数は、より離れた波長に対して使用するのが好ましい。波長λ１とＦＭ変調周波数ｆ１〜ｆｎの割り当て例を図２に示す。互いに異なる周波数を単に順番に割り当てた例と、隣接波長間のクロストークを考慮した割り当て例を図示した。
【００２６】
上記実施例では、理解しやすいように、各ＦＭ成分装置４４−１〜４４−ｎに対して演算装置４６−１〜４６−ｎを配置した。しかし、１つの演算装置が、同時に又は時分割で各ＦＭ成分装置４４−１〜４４−ｎの出力から波長分散値を算出するようにしてもよいことは明らかである。演算装置４６−１〜４６−ｎとして十分に高速のマイクロコンピュータを容易に入手できるので、単一のマイクロコンピュータで演算装置４６−１〜４６−ｎの機能を実現するのが現実的である。
【００２７】
光受信装置１４では、分離装置３０によりＷＤＭ信号光を個々の波長の信号光に分離した後の処理に波長依存性が無い。従って、受光器３２−１〜３２−ｎ以降、ＦＭ成分測定装置４４−１〜４４−ｎまでの回路部分を同一構成の回路基板で実現できる。唯一異なるのは、ＰＬＬのループフィルタ４２−１〜４２−ｎの中心波長である。基板障害に備える予備基板には、例えば、図３に示すように、スイッチによりループフィルタ波長ｆ１〜ｆｎの何れかを選択できるようにした処理回路を実装すれば良い。
【００２８】
図３は、予備装置の概略構成ブロック図を示す。図３に示す予備装置では、演算装置４６−１〜４６−ｎとして単一のマイクロコンピュータを使用することを予定している。
【００２９】
受光器１３２は、分離装置３０により分離された何れかの波長の光を電気信号に変換する。クロック抽出装置１３４は、受光器１３２の出力から伝送データのクロック成分を抽出する。データ再生装置１３６は、クロック抽出装置１３４により抽出されたクロックに従い、受光器１３２の出力から伝送データを再生する。
【００３０】
ＰＬＬ回路１３８は、発振器１４０、乗算器１４２、それぞれ異なる周波数ｆ１〜ｆｎのループフィルタ１４４−１〜１４４−ｎは、セレクタ１４６，１４８からなる。利用を開始する際に、ループフィルタ１４４−１〜１４４−ｎの入力側に配置したセレクタ１４６及び、ループフィルタ１４４−１〜１４４−ｎの出力側に配置したセレクタ１４８により、実際に適用すべきフープフィルタをループフィルタ１４４−１〜１４４−ｎの中から選択する。ループフィルタの選択機能を除いて、ＰＬＬ回路１３８の基本的な動作は、図１に示す実施例で説明したＰＬＬ回路の動作と同じである。ＰＬＬ回路１３８は、ループフィルタ１４４−１〜１４４−ｎの中からセレクタ１４６，１４８より選択された１つのループフィルタの透過周波数に相当するＦＭ変調周波数成分を、クロック抽出装置３４−１〜３４−ｎの出力から抽出する。
【００３１】
ＦＭ成分測定装置１５０は、ＰＬＬ回路１３８の出力からＦＭ変調成分の振幅ｖ（ｆｉ）とＦＭ変調周波数ｆｉを測定する。ｆｉは、セレクタ１４６，１４８より選択された１つのループフィルタの透過周波数である。
【００３２】
ＦＭ成分測定装置１５０の出力は、図示しない演算装置に印加される。その演算装置が、上記論文の式（２）に適用して、受光器１３２に入力する信号光の波長における波長分散σを算出する。
【００３３】
また、図４に示す光受信装置１４ａのように、ＦＭ成分測定装置４４−１〜４４−ｎ及び演算装置４６−１〜４６−ｎを共用する構成に変更することで、コストを低減できる。図４では、図１と同じ構成要素には同じ符号を付してある。即ち、各ＰＬＬ出力（ループフィルタ４４−１〜４４−ｎの出力）を同じＦＭ成分測定装置５０に入力し、演算装置５２がそのＦＭ成分測定装置５０の出力から各波長での波長分散を算出する。但し、複数の架のＰＬＬ出力を共通のＦＭ成分測定装置に入力すると、架間の配線が必要になり、複雑になる。従って、実用的には、１つの架のＰＬＬ出力を同じ架に配置したＦＭ成分測定装置に入力するようにすればよい。
【００３４】
【発明の効果】
以上の説明から容易に理解できるように、本発明によれば、インサービスで光伝送路の各信号波長での波長分散値を測定できる。
【図面の簡単な説明】
【図１】本発明の一実施例の概略構成ブロック図である。
【図２】ＦＭ変調周波数ｆ１〜ｆｎの割り当て例である。
【図３】データ受信及び波長分散測定の予備装置の概略構成ブロック図である。
【図４】ＦＭ成分測定装置と演算装置を共用する構成の概略構成ブロック図である。
【符号の説明】
１０：光送信装置
１２：光ファイバ
１４，１４ａ：光受信装置
２０−１〜２０−ｎ：レーザ光源
２２−１〜２２−ｎ：発振器
２４−１〜２４−ｎ：データ変調器
２６−１〜２６−ｎ：位相変調器
２８：多重装置
３０：分離装置
３２−１〜３２−ｎ：受光器
３４−１〜３４−ｎ：クロック抽出装置
３６−１＾３６−ｎ：データ再生装置
３８−１〜３８−ｎ：発振器
４０−１〜４０−ｎ：乗算器
４２−１〜４２−ｎ：ループフィルタ
４４−１〜４４−ｎ：ＦＭ成分測定装置
４６−１〜４６−ｎ：演算装置
５０：ＦＭ成分測定装置
５２：演算装置
１３２：受光器
１３４：クロック抽出装置
１３６：データ再生装置
１３８：ＰＬＬ回路
１４０：発振器
１４２：乗算器
１４４−１〜１４４−ｎ：ループフィルタ
１４６，１４８：セレクタ
１５０：ＦＭ成分測定装置
【図１】
2004045058.tif 000003
【図２】
2004045058.tif 000004
【図３】
2004045058.tif 000005
【図４】
2004045058.tif 000006